(57)【要約】    【課題】  成形品の形状を部分的に変更する場合に簡単且つスムーズに変更することが出来て、しかも複数の成形品を製造するに際して、金型の製造コストもトータル的に安価とすることが出来る金型を提供する。  【解決手段】  固定金型部材と可動金型部材とが備えられ、これら両金型部材の金型面に設けられたキャビティ形成部により画成されるキャビティ内で合成樹脂材料を成形するようにした成形用金型において、前記固定金型部材及び可動金型部材には、前記キャビティの形状を部分的に変更するための形状が異なる複数のキャビティ形成部を備えた分割金型ブロックの嵌合部が設けられると共に、前記固定金型部材及び可動金型部材の嵌合部に嵌合される両分割金型ブロックを嵌合部から離脱した位置で回転可能とする回転支持装置が搭載され、回転支持装置による分割金型ブロックの回転により、固定金型部材及び可動金型部材側のキャビティ形成部に組み込む分割金型ブロック側のキャビティ形成部を選択して、キャビティの形状を変更可能とした。  【選択図】  図４
2005119216.tif 000002
【特許請求の範囲】
【請求項１】
固定金型部材と可動金型部材とが備えられ、これら両金型部材の金型面に設けられたキャビティ形成部により画成されるキャビティ内で合成樹脂材料を成形するようにした成形用金型において、
前記固定金型部材及び可動金型部材には、前記キャビティの形状を部分的に変更するための形状が異なる複数のキャビティ形成部を備えた分割金型ブロックの嵌合部が設けられると共に、前記固定金型部材及び可動金型部材の嵌合部に嵌合される両分割金型ブロックを嵌合部から離脱した位置で回転可能とする回転支持装置が搭載され、回転支持装置による分割金型ブロックの回転により、固定金型部材及び可動金型部材側のキャビティ形成部に組み込む分割金型ブロック側のキャビティ形成部を選択して、キャビティの形状を変更可能としていることを特徴とする成形用金型。
【請求項２】
回転支持装置を金型部材の金型面に沿って金型部材の内方側に移動させるための移動装置が搭載されている請求項１に記載の成形用金型。
【請求項３】
回転支持装置による分割金型ブロックの回転時、前記固定金型部材及び可動金型部材の嵌合部に嵌合される両分割金型ブロックを一体に結合した上で、両分割金型ブロックを回転支持装置により一体回転させるようにしていることを特徴とする請求項１または２に記載の成形用金型。
【発明の詳細な説明】
【技術分野】
【０００１】
本発明は、主として樹脂成形で用いられる成形用金型に関する。
【背景技術】
【０００２】
一般にこの種の成形用金型は、固定金型部材と可動金型部材とが備えられ、これら両金型部材により画成されるキャビティ内で合成樹脂材料を成形して、所定の成形品を作製するようにしている。（特許文献１参照）
【特許文献１】特開平７−１４４３３２号  ところで、以上の金型により、大部分の形状が共通であって一部分のみ形状を異にするような複数種類の成形品を成形する場合には、従来では、固定金型部材及び可動金型部材を成形品の種類毎に用意する方法と、成形品の異なる形状部分にのみ対応する分割金型ブロックを成形品の種類毎に別途用意して、成形品の形状に適合する分割金型ブロックを、固定金型部材及び可動金型部材応に設けた嵌合部にはめ込んで、所定の形状の成形品を作成する方法とがある。
【０００３】
しかしながら、固定金型部材及び可動金型部材を成形品の種類毎に用意する方法では、種類の異なる成形品毎に金型全体を用意しなければならず、金型の作製費が高くなるし、また各金型の保管に場所を必要とする他、プレス装置に対する金型の入れ替え作業も手間がかかるという問題がある。
【０００４】
一方、成形品の形状に対応した分割金型ブロックを成形品の種類毎に別途用意する方法では、金型全体の作製コストは低減することが出来るにしても、作製する成形品の種類を変更する場合、その都度、金型をプレス装置から下ろした上で、固定金型部材及び可動金型部材応に設けた嵌合部から分割金型ブロックを取り外すと共に、別の分割金型ブロックを前記嵌合部に嵌め込まねばならず、これら分割金型ブロックの交換作業に時間と手間を要する不具合がある。
【発明の開示】
【発明が解決しようとする課題】
【０００５】
本発明は以上の実情に鑑みて開発したものであって、目的とするところは、成形品の形状を部分的に変更する場合に簡単且つスムーズに変更することが出来て、しかも複数の成形品を製造するに際して、金型の製造コストもトータル的に安価とすることが出来る金型を提供するにある。
【課題を解決するための手段】
【０００６】
以上の目的を達成するため、請求項１に記載の発明は、固定金型部材と可動金型部材とが備えられ、これら両金型部材の金型面に設けられたキャビティ形成部により画成されるキャビティ内で合成樹脂材料を成形するようにした成形用金型において、前記固定金型部材及び可動金型部材には、前記キャビティの形状を部分的に変更するための形状が異なる複数のキャビティ形成部を備えた分割金型ブロックの嵌合部が設けられると共に、前記固定金型部材及び可動金型部材の嵌合部に嵌合される両分割金型ブロックを嵌合部から離脱した位置で回転可能とする回転支持装置が搭載され、回転支持装置による分割金型ブロックの回転により、固定金型部材及び可動金型部材側のキャビティ形成部に組み込む分割金型ブロック側のキャビティ形成部を選択して、キャビティの形状を変更可能としていることを特徴とするものである。
【０００７】
請求項１に記載の発明の成形用金型では、固定金型部材及び可動金型部材の嵌合部に嵌合されている分割金型ブロックを、回転支持装置を介して一体に結合して嵌合部から離脱させた後に所定角度回転させて、再度嵌合部に嵌合させるだけで、キャビティの形状を変更することが出来る。
【０００８】
また請求項２に記載の発明は、請求項１に記載の成形用金型において、回転支持装置を金型部材の金型面に沿って金型部材の内方側に移動させるための移動装置が搭載されていることを特徴とするものである。
【０００９】
請求項２に記載の発明の成形用金型では、分割金型ブロックの回転操作に際して、移動装置により、回転装置を金型部材に対して内方側に移動させることで、分割金型ブロックの回転時、分割金型ブロックが金型部材の端縁よりも外方に大きく突出するのを抑制することが出来る。
【００１０】
また請求項３に記載の発明は、回転支持装置による分割金型ブロックの回転時、前記固定金型部材及び可動金型部材の嵌合部に嵌合される両分割金型ブロックを一体に結合した上で、両分割金型ブロックを回転支持装置により一体回転させるようにしていることを特徴とするものである。
【００１１】
請求項３に記載の発明の成形用金型では、固定金型部材及び可動金型部材の嵌合部に嵌合される両分割金型ブロックを一度に回転させて、キャビティの変更が行なえる。
【発明の効果】
【００１２】
請求項１に記載の発明によれば、部分的に変更する場合には、回転支持装置を介して分割金型ブロックを回転させて、固定金型部材及び可動金型部材側のキャビティ形成部に組み込む分割金型ブロック側のキャビティ形成部を選択するだけで、キャビティの形状を変更することが出来、従来のように金型全体を交換するなどの作業を必要とせず、作業性が向上する
請求項２に記載の成形用金型によれば、請求項１に記載の発明の効果に加え、金型の設置スペースが狭くても、キャビティの形状の変更が簡単に行なえる。
【００１３】
請求項３に記載の成形用金型によれば、固定金型部材及び可動金型部材の嵌合部に嵌合される両分割金型ブロックを一度に回転させることが出来るので、請求項１または２に記載の発明の効果に加え、キャビティの変更作業がより一層向上する。
【発明を実施するための最良の形態】
【００１４】
図１は、直圧式の樹脂成形装置に用いる成形用金型を示している。
【００１５】
この成形用金型１は、図１２〜図１５に示すベランダ用床板Ｐ１〜Ｐ４を成形するためのものであって、基本的には、固定盤２０の上面部に組み付ける固定金型部材２と、可動盤３０の下面部に組み付ける可動金型部材３とが備えられている。
【００１６】
これら固定金型部材２及び可動金型部材３の金型面２１・３１には、図１２〜図１５に示すベランダ用床材Ｐ１〜Ｐ４の大半部分（図１２〜図１５において矢印Ｌ１で示す範囲）を形成するためのキャビティ形成部２２・３２が設けられ、これらキャビティ形成部２２・３２の左右両端外方には、固定側の分割金型ブロック４ａ・４ｂまたは可動側の分割金型ブロック５ａ・５ｂがそれぞれ密嵌する嵌合部としての嵌合凹所２３ａ・２３ｂ及び３３ａ・３３ｂが設けられている。（図５、図６参照）
分割金型ブロック４ａ・４ｂ及び５ａ・５ｂは、その金型面２１・３１に2種類のキャビティ形成部が併設されているのであって、具体的には、分割金型ブロック４ａ・４ｂ及び５ａ・５ｂ中、図１において右側に配置される分割金型ブロック４ａ及び５ａの金型面には、図１２及び図１４に示す床材Ｐ１・Ｐ３の長さ方向一端部分（図１２及び図１４において矢印Ｌ２で示す範囲）を形成するためのキャビティ形成部４１ａ・５１ａと、図１３及び図１５に示す床材Ｐ２・Ｐ４の長さ方向一端部分（図１３及び図１５において矢印Ｌ３で示す範囲）を形成するためのキャビティ形成部４１ｂ・５１ｂとが併設されている。（図８、図１０参照）
また図１において左側に配置される分割金型ブロック４ｂ及び５ｂの金型面には、図１２及び図１３に示す床材Ｐ１・Ｐ２の長さ方向一端部分（図１２及び図１３において矢印    Ｌ４で示す範囲）を形成するためのキャビティ形成部４１ｃ・５１ｃと、図１４及び図１５に示す床材Ｐ３・Ｐ４の長さ方向一端部分（図１４及び図１５において矢印Ｌ５で示す範囲）を形成するためのキャビティ形成部４１ｄ・５１ｄとが併設されている。（図９、図１１参照）
以上の右側分割金具ブロック４ａ・５ａ及び左側分割金具ブロック４ｂ・５ｂは、後記するごとく、それぞれ一体に結合された状態から、回転支持装置６により嵌合凹所２３ａ・２３ｂ及び３３ａ・３３ｂより離脱した位置で回転可能であり、また移動装置７により、回転支持装置６と共に可動金型部材３の金型面３１に沿って移動可能としている。
【００１７】
前記した回転支持装置６は、図３、図４に示すように、支持軸６１と、両右側分割金具ブロック４ａ・５ａまたは両左側分割金具ブロック４ｂ・５ｂをそれぞれ一体的に結合するための連結ボルト６２と、支持軸６１を回転且つスライド自由に支持する支持体６３とが備えられている。そして支持軸の下端部には、可動金型部材３側の分割金型ブロック４ａ・４ｂが連結金具６４を介して取り外し可能に取り付けられるようにしている。
【００１８】
また固定金型部材４側の分割金型ブロック４ａ・４ｂには、図４に示すように、回転支持装置６を構成する連結ボルト６２が螺合可能なねじ孔４３が設けられ、可動金型部材３側の分割金型ブロック５ａ・５ｂには、連結ボルト６２が挿通可能な挿通孔５０が設けられ、挿通孔５０に挿通した連結ボルト６２を更にねじ孔４３に螺締することで、両ブロック（４ａと５ａ及び４ｂと５ｂ）を一体に結合するようにしている。
【００１９】
尚、両ブロック（４ａと５ａ及び４ｂと５ｂ）を一体に結合する前に、前述の連結ボルト６２を固定金型部材４の嵌合凹所２３ａ・２３ｂに嵌合している分割金型ブロック４ａ・４ｂのねじ孔４３に螺締することで、ボルト６２の先端で嵌合凹所２３ａ・２３ｂの嵌合面を押して、分割金型ブロック４ａ・４ｂを嵌合凹所２３ａ・２３ｂから離脱させるようにしている。
【００２０】
また可動金型部材３における嵌合凹所３３ａ・３３ｂと対応する位置には、図４に示すように、ボルト５２を螺合するためのねじ孔５３が設けられ、このねじ孔５３に螺合したボルト５２の締め付け操作により、ボルト５２の先端で嵌合凹所３３ａ・３３ｂに密嵌している分割金型ブロック５ａ・５ｂの上面を押して、分割金型ブロック５ａ・５ｂを嵌合凹所３３ａ・３３ｂから離脱させるようにしている。
【００２１】
固定金型部材２の嵌合凹所２３ａ・２３ｂに密嵌する分割金型ブロック４ａ・４ｂは、図４に示すように、固定ボルト４４を分割金型ブロック４ａ・４ｂに形成した貫通孔４５に挿通して、その挿通端部を固定金型部材２に形成した固定用ねじ孔２５に螺締することで、固定金型部材２に固定するようにしている。
【００２２】
可動金型部材３の嵌合凹所３３ａ・３３ｂに密嵌する分割金型ブロック５ａ・５ｂにあっても、図３に示すように、固定ボルト５４を可動金型部材３に形成した貫通孔３５に挿通して、その挿通端部を可動側の分割金型ブロック５ａ・５ｂに形成した固定用ねじ孔５５に螺締することで、可動金型部材３に固定するようにしている。
【００２３】
また回転支持装置６に支持された分割金型（４ａ・５ａまたは４ｂ・５ｂ）を移動させるための移動装置７は、可動金型部材３の上面に固定したガイドレール７１と、回転支持装置６を構成する支持体６３に回転自由に取り付けられて前述のガイドレール７１に沿って走行する4個の走行輪７２とが備えられ、回転支持装置６の回転中心を可動金型部材の内方、換言すればキャビティ形成部２２側に向けて所定距離移動させることで、分割金型ブロックの回転操作時、分割金型ブロック４ａ・５ａまたは４ｂ・５ｂの長さ方向端部が、図７において２点鎖線で示すように金型部材２・３の側縁よりも外方に大きくはみ出すことがないようにしている。
【００２４】
尚、図中２４は、固定金型部材４側の分割金型ブロック４ａ・４ｂを嵌合凹所２３ａ・２３ｂに嵌め込む際のガイドピンであって、このガイドピン２４は、固定金型部材４の嵌合凹所２３ａ・２３ｂ内に取り外し可能に立設している。また以上のガイドピン２４が嵌るガイド孔５６が分割金型ブロック４ａ・４ｂに設けられている。
【００２５】
また図中３６は、移動装置７による回転支持装置６の移動を許容するために可動金型部材３に設けた長孔である。
【００２６】
また図中６０は、連結ボルト６２により両分割金型ブロック４ａ・５ａ及び４ｂ・５ｂを一体に連結する際に、両分割金型ブロック４ａ・５ａ及び４ｂ・５ｂ間に介装するスペーサであって、このスペーサ６０は、連結時に両分割金型ブロック４ａ・５ａ及び４ｂ・５ｂに傷が付くのを防ぐためのものである。、
以上の構成から成る成形用金型１にあっては、例えば図１２に示す床板Ｐ１用にセッティングされている状態から図１３に示す床板Ｐ２用に変更する場合は、両分割金型ブロック４ａ・５ａ間にスペーサ６０を介装して、固定金型部材２上に可動金型部材３が載った状態で、ボルト５２を締め付けて、右側の可動側分割金型ブロック５ａの嵌合凹所２３ａに対する密嵌を解除した後、可動金型部材３を上昇させる。
【００２７】
次に、連結ボルト６２により両分割金型ブロック４ａ・５ａを一体に連結した上で、連結金具６４により支持軸６１の下端に可動側分割金型ブロック５ａを連結し、更に可動金型部材３を上昇させると、図１に示すように、一体に連結した分割金型ブロック４ａ・５ａも上昇して宙吊り状態となる。
【００２８】
この状態から移動装置７により、両分割金型ブロック４ａ・５ａを回転支持装置６と共に図１において左方向に移動させた上で、両分割金型ブロック４ａ・５ａを支持軸６１を介して支持体６３に対して１８０度回転させる。この時、分割金型ブロック４ａ・５ａの長さ方向端部は、図７において実線で示すように金型部材２・３の側縁に沿って回転し、図７において２点鎖線で示すように外方に大きくはみ出すようなことがない。
【００２９】
従って、成形金型が用いられる成形装置の設置スペースもそれだけ狭くすることができる。
【００３０】
続いて移動装置７により、両分割金型ブロック４ａ・５ａを回転支持装置６と共に図１において右方向に移動させた後、可動金型部材３を下降させて、固定側の分割金型ブロック４ａを固定金型部材２の嵌合凹所２３ａに密嵌させる。
【００３１】
そして連結金具６４を取り外して支持軸６１と分割金型ブロック５ａとの連結を解除すると共に、連結ボルト６２を外した上で、更に可動金型部材３を固定金型部材２上まで下降させて、可動側の分割金型ブロック５ａを可動金型部材３の嵌合凹所３３ａに密嵌させた後、固定ボルト５４で割金型ブロック５ａを可動金型部材３に固定する。
【００３２】
しかる後、可動金型部材３を上昇させ、固定ボルト４４で固定側の分割金型ブロック４ａを固定金型部材２に固定すると共に、ガイドピン２４とスペーサー６０を取り外す。
【００３３】
斯くして成形用金型１は、図１３に示すベランダ用床板Ｐ２の形状に合ったキャビティを備えた金型に変更される。
【００３４】
尚、図１２に示す成形品用から図１４に示す成形品用に変更する場合には、左側の両分割金型ブロック４ｂ・５ｂを、前記と同様の手順で変更すればよく、また図１２に示す成形品用から図１５に示す成形品用に変更する場合には、左右の両分割金型ブロック４ａ・５ａ及び４ｂ・５ｂを、前記と同様の手順で変更すればよい。
【００３５】
以上の実施形態では、金型の左右に分割金型ブロック４ａ・４ｂ及び５ａ・５ｂを装填するようにしたが、左右のいずれか一方にのみ装填するようにしてもよい。
【００３６】
また以上の実施形態では、回転支持装置６による分割金型ブロックの回転時、前記固定金型部材及２び可動金型部材３の嵌合凹所に嵌合される両分割金型ブロックを一体に結合した上で、両分割金型ブロックを回転支持装置６により一体で回転させるようにしたが、一体に結合することなく、それぞれの分割金型ブロックを独自に回転させるようにしてもよい。
【００３７】
また以上の実施形態では、移動装置７を搭載したが、例えば分割金型ブロックの回転時、ブロックが金型部材２・３よりも外方に突出しないような場合には、移動装置７を必ずしも搭載しなくてもよい。
【００３８】
また以上の実施形態では、直圧式の樹脂成形に用いる成形用金型に本発明を適用したが、これに限定されるものではなく、例えば射出成形に用いる成形用金型や、金属プレート加工用などに用いるプレス金型に本発明を適用してもよい。
【図面の簡単な説明】
【００３９】
【図１】本発明にかかる金型の一部を省略して示す概略正面図。
【図２】同、概略側面図。
【図３】同、要部の拡大断面図。
【図４】同、要部の拡大断面図。
【図５】固定金型部材の平面図。
【図６】可動金型部材の底面図。
【図７】分割金型ブロックの回転操作時の説明図。
【図８】固定側の分割金型ブロックの平面図。
【図９】固定側の分割金型ブロックの平面図。
【図１０】可動側の分割金型ブロックの平面図。
【図１１】可動側の分割金型ブロックの平面図。
【図１２】ベランダ用床板の一例を示す平面図。
【図１３】ベランダ用床板の一例を示す平面図。
【図１４】ベランダ用床板の一例を示す平面図。
【図１５】ベランダ用床板の一例を示す平面図。
【符号の説明】
【００４０】
１        成形用金型
２        固定金型部材
２２      キャビティ形成部
２３ａ・２３ｂ  嵌合凹所（嵌合部）
３        可動金型部材
３２      キャビティ形成部
３３ａ・３３ｂ  嵌合凹所（嵌合部）
４ａ・４ｂ  分割金型ブロック
５ａ・５ｂ  分割金型ブロック
６        回転支持装置
７        移動装置
Ｐ１・Ｐ２・Ｐ３・Ｐ４  ベランダ用床板（成形品）
【図１】
2005119216.tif 000003
【図２】
2005119216.tif 000004
【図３】
2005119216.tif 000005
【図４】
2005119216.tif 000006
【図５】
2005119216.tif 000007
【図６】
2005119216.tif 000008
【図７】
2005119216.tif 000009
【図８】
2005119216.tif 000010
【図９】
2005119216.tif 000011
【図１０】
2005119216.tif 000012
【図１１】
2005119216.tif 000013
【図１２】
2005119216.tif 000014
【図１３】
2005119216.tif 000015
【図１４】
2005119216.tif 000016
【図１５】
2005119216.tif 000017